(57)【特許請求の範囲】
【請求項１】
ワイヤが巻き取られる円筒部と、前記円筒部の左右側面に該円筒部の径より大きい径を有する板状の鍔と、前記円筒部の中央と前記右側および左側の鍔中央を通して形成される貫通孔と、前記右側および左側の鍔から貫通孔に差し込まれるように突出する一対の支持軸と両端部が前記一対の支持軸に各々固定され、前記右側および左側の鍔の外面に当接して該鍔と平行な方向に延長される右側および左側の支持台を備えた“コ”字形の取っ手と、前記ボビンの回転防止手段を備え、
前記ボビンの回転防止手段は、前記板状の鍔の外周面が凹部から構成される複数の第１領域部と凸部から構成される複数の第２領域部が交互に配置され、前記第１領域部を介して隣り合う二つの前記第２領域部が平坦面に接するように構成される第１回転防止手段と、前記取っ手が平坦面に接するように構成される第２回転防止手段からなり、
前記取っ手の支持台の内側には取っ手の回動防止用突起が設置され、前記鍔の外面には前記取っ手の回動防止用突起が収められる穴が所定の間隔をおいて多数構成されることを特徴とするボビン。
【発明の詳細な説明】
【技術分野】
【０００１】
本発明はボビンに関し、特にボビンが地面から転がらないように支える回転防止手段を備えるボビンの構造に関する。
【背景技術】
【０００２】
ボビンは繊維、ワイヤなどを巻いて保管するものであり、従来から幅広く使用されている。ボビンに巻き取られるものは繊維のように軽いものもあるが、金属からなるワイヤのように重いものもある。従って、金属のワイヤがボビンに巻き取られると該ボビンの重さは大きく増える。
【０００３】
ボビンは、ワイヤが巻き取られる円筒部と、該円筒部の両側にワイヤが外側に外れないように円筒部より径が大きく形成される鍔からなる。従って、円筒部に巻き取られたワイヤは鍔によって外側に外れない状態で保管される。放電加工用ワイヤが巻き取られたボビンは、一例として図１および図２のように四つの仕切り２に分けられた箱１に四つのボビン１０が収納される。
【０００４】
実際に放電加工用ワイヤが巻き取られているボビンが、箱内に複数個ずつ梱包されて販売されている。ワイヤが巻き取られたボビンが軽ければ手でボビンを容易に持ち上げることができるが、ボビンに放電加工用ワイヤのように重い金属材が巻き取られている場合には、各ボビンの重さが数十ｋｇ以上になる場合もある。重いボビンを持ち上げるために箱とボビンとの間に手を差し入れるとき、手に傷が付いたり怪我をする虞がある。また、ボビンを取り出して作業場の底に放置するとボビンが転がって作業者の足に怪我などの被害を与えるという問題がある。
【発明の概要】
【発明が解決しようとする課題】
【０００５】
本発明は上述した従来技術の問題点を解決するために案出され、ボビンを箱から容易に出し入れできるとともに、底に放置しても転がらない二重の回転防止手段を備えるボビンを提供することを目的とする。
また、本発明の他の目的は、ボビンに設置される取っ手とボビンの鍔にボビンの回転防止手段をともに備えて使用の便利さと安全性が向上されるボビンを提供するものである。
【課題を解決するための手段】
【０００６】
本発明の目的を達成するために本発明のボビンは、ワイヤが巻き取られる円筒部と、前記円筒部の左右側面に該円筒部の径より大きい径を有する板状の鍔と、前記円筒部の中央と前記右側および左側の鍔中央を通して形成される貫通孔と、前記右側および左側の鍔から貫通孔に差し込まれるように突出する一対の支持軸と両端部が前記一対の支持軸に各々固定され、前記右側および左側の鍔の外面に当接して該鍔と平行な方向に延長される右側および左側の支持台を備えた“コ”字形の取っ手と、前記ボビンの回転防止手段を備え、前記ボビンの回転防止手段は、前記板状の鍔の外周面が凹部から構成される複数の第１領域部と凸部から構成される複数の第２領域部が交互に配置され、前記第１領域部を介して隣り合う二つの前記第２領域部が平坦面に接するように構成される第１回転防止手段と、前記取っ手が平坦面に接するように構成される第２回転防止手段からなり、前記取っ手の支持台の内側には取っ手の回動防止用突起が設置され、前記鍔の外面には前記取っ手の回動防止用突起が収められる穴が所定の間隔をおいて多数構成されることを特徴とする。
【発明の効果】
【０００９】
本発明のボビンは、取っ手を利用して箱から容易に出し入れできるとともに、平坦面に放置しても鍔の外周面に形成される第１回転防止手段と取っ手に形成される第２回転防止手段によってボビンの転がりが防止されるので、使用の便利さと安全性が向上するという効果が得られる。
【図面の簡単な説明】
【００１０】
【図１】従来技術によるボビンが箱に収納されている状態で、箱の開放状態を示す斜視図。
【図２】従来のボビンを収納するための箱の斜視図。
【図３】本発明のボビンの分解斜視図。
【図４】本発明のボビンの立体図。
【図５】本発明のボビンの取っ手の回動防止用突起の作用を説明するための断面図。
【図６】本発明のボビンの鍔の外周面の他の形態を示す立体図。
【発明を実施するための形態】
【００１１】
本発明のボビン１１０は、図３のようにワイヤが巻き取られる円筒部１１１と、該円筒部の両側に形成された鍔１１２ａ、１１２ｂから形成され、その中央には貫通孔１１３が形成されている。
【００１２】
取っ手１２０は、垂直に延長された二つの支持台即ち、右側支持台１２１ａと左側支持台１２１ｂが一体に形成されて“コ”字形に構成され、前記各支持台の内側には貫通孔１１３に差し込まれる支持軸１２２ａ、１２２ｂと、両鍔１１２ａ、１１２ｂの外面に形成された穴１１４ａ、１１４ｂに各々差し込まれる取っ手の回動防止用突起１１５ａ、１１５ｂが各々形成されている。従って、プラスチックなどの弾性部材から構成される取っ手の右側支持台１２１ａと左側支持台１２１ｂの間を開けた後、夫々の支持軸１２２ａ、１２２ｂと取っ手の回動防止用突起１１５ａ、１１５ｂが貫通孔１１３と穴１１４ａ、１１４ｂに差し込まれるように合わせて組み立てる。
【００１３】
前記右側支持台１２１ａと左側支持台１２１ｂの下端に突出する支持軸１２２ａ、１２２ｂは、プラスチックからなる取っ手の弾性力を勘案して組み立てに影響を与えないとともに、ボビンに巻き取られたワイヤの重さによって離脱しないように、突出する長さが概ね１０−２０ｍｍになるように形成することが好ましい。
【００１４】
一方、前記取っ手の回転防止用突起１１５ａ、１１５ｂは、右側支持台１２１ａと左側支持台１２１ｂの内側面の上端に、両側面がテーパ形に約３ｍｍぐらい突出する突部が構成される。
【００１５】
右側支持台１２１ａと左側支持台１２１ｂの内側面の下端に１０−２０ｍｍ突出して構成される支持軸１２２ａ、１２２ｂと比べて、取っ手の回転防止用突起１１５ａ、１１５ｂの突出長さを短く形成し、突出面の両側面をテーパ形に構成することは、必要に応じてボビンの取っ手の位置を容易に回転させて変更できるようにするためである。取っ手１２０を回転させようとする場合には、図５のように右側支持台１２１ａと左側支持台１２１ｂの上端を両手で広げて取っ手１２０を回転させて移動させたり、鍔の円周方向に取っ手を強く押さえつけて突起１１５ａ、１１５ｂが差し込まれている穴から隣の穴に移動させたりすれば良い。
【００１６】
また、前記ボビンの鍔１１２ａ、１１２ｂの各外周面は、陥凹形成される複数の第１領域部１６０と突出形成される複数の第２領域部１７０が構成され、第１領域部と第２領域部は交互に配置される。
【００１７】
前記第１領域部１６０および第２領域部１７０は、図４のようにボビンの鍔の外周面が平坦面に接触したとき、凹部の第１領域部１６０を介して互いに隣り合う二つの第２領域部１７０が平坦面に接触するのでボビンの第１回転防止手段として作用する。
【００１８】
互いに隣り合う二つの凸部の第２領域部１７０が平坦面に接触したとき、その間の間隔ｄが大きいほどボビンの回転防止機能が向上するが、本発明では円板状の鍔を維持しながら回転防止機能を行なうためにｄを２０−４０ｍｍにした。
【００１９】
本発明は、前記ボビンの鍔の外周面に形成される第１回転防止手段とともに、取っ手の回転防止用突起１１５ａ、１１５ｂが穴１１４ａ、１１４ｂに挿入されて掛かっているので、取っ手１２０が第２回転防止手段として作用する。
【００２０】
本発明は、取っ手１２０の縁が線１8０の平坦面に接するとき、隣り合う二つの第２領域部１７０が平坦面に同時に接してボビンが地面に安定し、ボビンの転がりまたは遊動が生じないという長所がある。
【００２１】
ボビンの鍔の外周面に構成される第１領域部１６０および第２領域部１７０は、図４の構造に限定されず図６の構造のように凹部と凸部の形態を変更して構成しても良い。
【００２２】
本発明のボビンは、明細書に例示されている構造に限定されず、本発明の目的および請求範囲内で様々に設計変更して実施できる。
【産業上の利用可能性】
【００２３】
本発明は、放電加工に利用される金属ワイヤなどを巻き取るボビンに適用される。
【図１】
0005640082.tif 000002
【図２】
0005640082.tif 000003
【図３】
0005640082.tif 000004
【図４】
0005640082.tif 000005
【図５】
0005640082.tif 000006
【図６】
0005640082.tif 000007